(57)【要約】【課題】  本発明は、シャッタ駆動時に手振れが発生することのないカメラを提供すること。【解決手段】  本発明のカメラは、カメラ本体部２と、このカメラ本体部２の表面２ａ側に配設したレンズ３とを備え、カメラ本体部２には、操作者の指を接触させることにより静電容量が変化する静電容量式のセンサ部が複数箇所に形成され、操作者の指を２箇所のセンサ部に接触させて、それぞれのセンサ部の静電容量が所定値以上変化すると、シャッタが駆動するようになっている。【選択図】        図２
2005055723.tif 000002
【特許請求の範囲】
【請求項１】
カメラ本体部と、このカメラ本体部に配設したレンズとを備え、前記カメラ本体部には、操作者の指を接触させることにより静電容量が変化する静電容量式のセンサ部が複数箇所に形成され、操作者の指を２箇所の前記センサ部に接触させて、それぞれの前記センサ部の前記静電容量が所定値以上変化すると、シャッタが駆動するようにしたことを特徴とするカメラ。
【請求項２】
前記カメラ本体部に形成した複数のセンサ部は、前記レンズが配設された前記カメラ本体部の表面側と反対側の裏面側に第１センサ部が形成されている共に、上面側に第２、第３センサ部が互いに隣接して形成されていることを特徴とする請求項１記載のカメラ。
【請求項３】
操作者の第１指を前記第１センサ部に接触させた状態で第２指を前記第２センサ部に接触させることによりピント合わせが行われ、その後、前記第２指を前記第２センサ部から前記第３センサ部に移動させて接触させることにより前記シャッタが駆動するようにしたことを特徴とする請求項２記載のカメラ。
【請求項４】
前記ピント合わせ後に、前記第２センサ部に接触させた前記第２指の接触圧を大きくして前記第２センサ部の前記静電容量を前記ピント合わせ時よりも増加させることにより、所望のズーミングが行われることを特徴とする請求項３記載のカメラ。
【請求項５】
前記カメラ本体部は絶縁性の樹脂材料からなり、前記複数のセンサ部は、前記カメラ本体部の内壁面に配設して互いに絶縁された複数の電極を有し、この電極を配設した部分の前記カメラ本体部に操作者の指を接触させることにより、操作者の指と前記電極との間で発生する前記静電容量が変化するようにしたことを特徴とする請求項１乃至４のいずれかに記載のカメラ。
【請求項６】
前記カメラ本体部には、前記複数のセンサ部の前記静電容量の変化をそれぞれ検出可能な制御部が配設されていることを特徴とする請求項１乃至５のいずれかに記載のカメラ。
【請求項７】
カメラ本体部と、このカメラ本体部の前側面側に配設したレンズとを備え、前記カメラ本体部には、操作者の指が接触することにより静電容量が変化可能な静電容量式の第１、第２、第３センサ部が形成され、操作者の第１指を前記第１センサ部に接触させると共に、第２指を前記第２センサ部材に接触させることによりピント合わせが行われ、その後、前記第２指を前記第２センサ部から前記第３センサ部に移動させて接触させた後、前記第２指を前記第３センサ部から離すことによりシャッタが駆動するようにしたことを特徴とするカメラ。
【請求項８】
カメラ本体部と、このカメラ本体部の前側面側に配設したレンズとを備え、前記カメラ本体部には、操作者の指が接触することにより静電容量が変化可能な静電容量式の第１、第２センサ部が形成され、操作者の第１指を前記第１センサ部材に接触させると共に、第２指を前記第２センサ部材に接触させることによりピント合わせが行われ、その後、前記第２指を前記第２センサ部材から離すことによりシャッタが駆動するようにしたことを特徴とするカメラ。
【発明の詳細な説明】
【技術分野】
【０００１】
本発明はカメラに係わり、特に銀塩写真フィルムに画像を撮像するカメラや、ＣＣＤ（電荷結合素子）等を用いたデジタルカメラ等のカメラに関する。
【背景技術】
【０００２】
従来の銀塩写真フィルムに被写体像を記録するカメラにおいては、レリーズボタンを操作者の指等で押圧操作することにより、機械的にシャッタが駆動されてフィルムに画像が記録されるようになっている。
また、従来のデジタルカメラにおいては、レリーズボタンにより電気的にシャッタが駆動されて、ＣＣＤ（電荷結合素子）等に撮像された被写体像をカメラ側の記憶媒体に記憶させるための操作を行うものであり、従来の銀塩写真フィルムを用いたカメラと同様に、レリーズボタンを操作者の指等で押圧操作することにより、被写体像が画像データとして記憶媒体に記憶される。
【０００３】
【特許文献１】特開２００３−４６８５６号公報
【特許文献２】特開平１２−１４８３５６号公報
【発明の開示】
【発明が解決しようとする課題】
【０００４】
しかし、前述したような従来のデジタルカメラを含むカメラは、被写体像をフィルムに記録、あるいは記憶媒体に記憶させるために、レリーズボタンを操作者の指で押圧操作する必要があった。
そのために、操作者が把持しているカメラが、レリーズボタンを押圧操作してシャッタ駆動する時に加える力で動いて、手振れが発生するおそれがあった。
本発明は前述したような問題点を解決するために、シャッタ駆動時に手振れが発生することのないカメラを提供することを目的とする。
【課題を解決するための手段】
【０００５】
前記課題を解決するための第１の手段として本発明のカメラは、カメラ本体部と、このカメラ本体部に配設したレンズとを備え、前記カメラ本体部には、操作者の指を接触させることにより静電容量が変化する静電容量式のセンサ部が複数箇所に形成され、操作者の指を２箇所の前記センサ部に接触させて、それぞれの前記センサ部の前記静電容量が所定値以上変化すると、シャッタが駆動するようにしたことを特徴とする。
【０００６】
また、前記課題を解決するための第２の手段として、前記カメラ本体部に形成した複数のセンサ部は、前記レンズが配設された前記カメラ本体部の表面側と反対側の裏面側に第１センサ部が形成されている共に、上面側に第２、第３センサ部が互いに隣接して形成されていることを特徴とする。
【０００７】
また、前記課題を解決するための第３の手段として、操作者の第１指を前記第１センサ部に接触させた状態で第２指を前記第２センサ部に接触させることによりピント合わせが行われ、その後、前記第２指を前記第２センサ部から前記第３センサ部に移動させて接触させることにより前記シャッタが駆動するようにしたことを特徴とする。
【０００８】
また、前記課題を解決するための第４の手段として、前記ピント合わせ後に、前記第２センサ部に接触させた前記第２指の接触圧を大きくして前記第２センサ部の前記静電容量を前記ピント合わせ時よりも増加させることにより、所望のズーミングが行われることを特徴とする。
【０００９】
また、前記課題を解決するための第５の手段として、前記カメラ本体部は絶縁性の樹脂材料からなり、前記複数のセンサ部は、前記カメラ本体部の内壁面に配設して互いに絶縁された複数の電極を有し、この電極を配設した部分の前記カメラ本体部に操作者の指を接触させることにより、操作者の指と前記電極との間で発生する前記静電容量が変化するようにしたことを特徴とする。
【００１０】
また、前記課題を解決するための第６の手段として、前記カメラ本体部には、前記複数のセンサ部の前記静電容量の変化をそれぞれ検出可能な制御部が配設されていることを特徴とする。
【００１１】
また、前記課題を解決するための第７の手段として、カメラ本体部と、このカメラ本体部の前側面側に配設したレンズとを備え、前記カメラ本体部には、操作者の指が接触することにより静電容量が変化可能な静電容量式の第１、第２、第３センサ部が形成され、操作者の第１指を前記第１センサ部に接触させると共に、第２指を前記第２センサ部材に接触させることによりピント合わせが行われ、その後、前記第２指を前記第２センサ部から前記第３センサ部に移動させて接触させた後、前記第２指を前記第３センサ部から離すことによりシャッタが駆動するようにしたことを特徴とする。
【００１２】
また、前記課題を解決するための第８の手段として、カメラ本体部と、このカメラ本体部の前側面側に配設したレンズとを備え、前記カメラ本体部には、操作者の指が接触することにより静電容量が変化可能な静電容量式の第１、第２センサ部が形成され、操作者の第１指を前記第１センサ部材に接触させると共に、第２指を前記第２センサ部材に接触させることによりピント合わせが行われ、その後、前記第２指を前記第２センサ部材から離すことによりシャッタが駆動するようにしたことを特徴とする。
【発明の効果】
【００１３】
本発明のカメラは、作者の指を２箇所のセンサ部に接触させて、それぞれのセンサ部の静電容量が所定値以上変化すると、シャッタが駆動するようにしたので、カメラを把持する操作者の指に力を入れなくても、シャッタを正常に駆動することができ、手ブレ等の障害を防止でき、高品位な画像を撮影することができる。
【００１４】
また、カメラ本体部に形成した複数のセンサ部は、レンズが配設されたカメラ本体部の表面側と反対側の裏面側に第１センサ部が形成されている共に、上面側に第２、第３センサ部が互いに隣接して形成されているので、カメラを右手に把持した状態で、片手でピント合わせ、あるいはシャッタを駆動させることができ、操作性が良いカメラを提供できる。
【００１５】
また、操作者の第１指を第１センサ部に接触させた状態で第２指を第２センサ部に接触させることによりピント合わせが行われ、その後、第２指を第２センサ部から第３センサ部に移動させて接触させることによりシャッタが駆動するようにしたので、操作者の指に力を入れることなくシャッタを駆動させることができ、手ブレを防止できる。
【００１６】
また、ピント合わせ後に、第２センサ部に接触させた第２指の接触圧を大きくして第２センサ部の静電容量をピント合わせ時よりも増加させることにより、所望のズーミングを行うようにしたので、部品点数を増やすことなく、機能を増加させることができる。
【００１７】
また、電極を配設した部分の記カメラ本体部に操作者の指を接触させることにより、操作者の指と電極との間で発生する静電容量が変化するようにしたので、操作者の指を電極を配置した部分に位置させるだけで、静電容量を確実に変化させることができる。
【００１８】
また、カメラ本体部には、複数のセンサ部の静電容量の変化をそれぞれ検出可能な制御部が配設されているので、センサ部に静電容量変化を制御部で確実に検出して、ピント合わせ、シャッタの駆動等を確実に行うことができる。
【００１９】
また、ピント合わせ後、第２指を第２センサ部から第３センサ部に移動させて接触させた後、第２指を第３センサ部から離すことによりシャッタが駆動するようにしたので、設計上の都合により各種の機能を増減することができる。
【００２０】
また、操作者の第１指を第１センサ部材に接触させると共に、第２指を第２センサ部材に接触させることによりピント合わせが行われ、その後、第２指を第２センサ部材から離すことによりシャッタが駆動するようにしたので、ピント合わせ、およびシャッタの駆動を、第１、第２の２個のセンサ部で行うことができ、部品点数を削減できコストダウンが可能なカメラを提供できる。
【発明を実施するための最良の形態】
【００２１】
以下、図面に基づいて本発明の実施の形について説明する。図１は本発明のカメラを正面から見た斜視図であり、図２は図１に示すカメラを背面から見た斜視図であり、図３は本発明のカメラの第１の操作例を示すブロック図であり、図４は本発明のカメラの第２の操作例を示すブロック図であり、図５は本発明のカメラの第３の操作例を示すブロック図である。
本発明のカメラを、例えばＣＣＤ（電荷結合素子）等に撮像された被写体像を記憶媒体に記憶させるデジタルカメラで説明すると、本発明のカメラ１は、図１に示すように、カメラ本体部２の表面側２ａの略中央部に筒状のレンズ３と、このレンズ３の右上に、例えば外部の光の明るさ等を測定可能な露光部４が形成されている。
【００２２】
また、図２に示すカメラ本体部２の裏面側２ｂには、撮影する被写体像をモニタ可能なディスプレイ部５が形成されている。そして、操作者がカメラ１を右手で把持した状態で、親指である第１指が位置可能な第１センサ部６が裏面側２ｂに形成されている。
また、第１センサ部６の近傍のカメラ本体部２の上面側２ｃには、第１センサ部６に第１指を位置させた状態で、人差し指である第２指を位置させることができる第２センサ部７と第３センサ部８とが互いに隣接して形成されている。
【００２３】
前記第１、第２、第３センサ部６、７、８は、カメラ本体部２の内壁面に互いに絶縁して張り合わせた板状の電極（図示せず）を有し、操作者の指を、電極が位置する部分のカメラ本体部２の外壁面に接触させることにより、カメラ本体部２の側壁が誘電体となって、操作者の指と電極との間で静電容量が発生するようになっている。
そして、それぞれのセンサ部６、７、８に接触させる操作者の指の接触圧を変化させることにより、それぞれのセンサ部６、７、８の静電容量が変化するようになっている。即ち、それぞれのセンサ部６、７、８に接触させる操作者の指の接触圧を大きくすると、静電容量が増加するようになっている。
【００２４】
また、第１、第２、第３センサ部６、７、８の静電容量の変化は、カメラ本体部２に配設した制御部（図示せず）が検出可能になっており、静電容量の変化に対応してピント合わせ、あるいはシャッタの駆動等が行えるようになっている。
また、第１、第２、第３センサ部６、７、８は、操作者が目視可能、または操作者の指が触ることにより識別可能なように、電極が位置する部分の外壁を略矩形状に点線で突出させて形成されている。
【００２５】
このような本発明のカメラ１の第１の操作例を、図３に示すブロック図に基づいて説明すると、まず、例えば図２に示すように、ディスプレイ部５を手前にした状態で操作者の右手にカメラ１の右側を把持する。そして、操作者の親指である第１指を第１センサ部６に位置させて接触させる。
この状態で、操作者の人差し指である第２指を第２センサ部７に接触させる。すると、第１センサ部６および第２センサ部７は、共に操作者の指と電極との間で発生する静電容量が変化する。この静電容量が所定値以上変化したことを制御部（図示せず）が検出すると、ピント合わせが行われる。
【００２６】
また、操作者の第１指または第２指による第１、または第２センサ部６、７への接触面積が少なくて、制御部が検出した第１、または第２センサ部６、７の静電容量が所定値以下の場合は、ディスプレイ部５にピント合わせ出来ずのエラーメッセージが表示される。
このような、ピント合わせ出来ずのエラーメッセージが表示された時は、再度操作者の第１指または第２指を、第１、または第２センサ部６、７に確実に重ねて接触させることにより、静電容量が所定値以上に変化して、エラーメッセージが消え、ピント合わせが行われる。
【００２７】
その後、第１指を第１センサ部６に接触させた状態で、第２指を第２センサ部７から第３センサ部８に移動させて接触させる。そして、第１センサ部６および第３センサ部８の静電容量が所定値以上変化したことを制御部が検出すると、シャッタ（図示せず）が駆動して、ＣＣＤ（電荷結合素子）等に撮像された被写体像をカメラ側の記憶媒体に記憶することができる。
前記第２指を第３センサ部８に移動させたときにおいて、操作者の第１指または第２指による第１、または第３センサ部６、８への接触面積が少なくて、第１、または第３センサ部６、８の静電容量が所定値以下の場合は、ディスプレイ部５にシャッタ駆動出来ずのエラーメッセージが表示される。
このような、シャッタ駆動出来ずのエラーメッセージが表示された時は、第１指または第２指を第１、または第３センサ部６、８に確実に重ねて接触させることにより、エラーメッセージが消えて、シャッタが駆動される。
【００２８】
また、図３のブロック図に示す第１の操作例において、ピント合わせが行われて後に、第２センサ部７に接触させた第２指の接触圧を大きくして、第２センサ部の静電容量をピント合わせ時より更に増加せせることにより、所望のズーミングが行われて、撮像サイズを拡大または縮小させることができるようにしたものでも良い。
【００２９】
また、本発明のカメラの第２の操作例を、図４に示すブロック図に基づいて説明すると、操作者の第１指を第１センサ部６に接触させると共に、第２指を第２センサ部７に接触させてピント合わせを行う。
次ぎに、第２指を第２センサ部７から第３センサ部８に移動させて、第１、第３センサ部の静電容量が所定値以上変化後に、第２指を第３センサ８から離して、第３センサ部８の静電容量値が所定値以下になると、シャッタが駆動するようになっている。
【００３０】
また、本発明のカメラの第３の操作例を、図５に示すブロック図に基づいて説明すると、操作者の第１指を第１センサ部６に接触させると共に、第２指を第２センサ部７に接触させることにより、ピント合わせが行われる。
次ぎに、第２指を第２センサ部７から離して、第２センサ部７の静電容量が所定値以下に変化すると、シャッタが駆動するようになっている。
このような、第３の操作例のカメラは、センサ部材が第１、第２センサ部６、７の２個で良く、部品点数を削減することができ、コストダウンが可能である。
【００３１】
また、第１、第２、第３センサ部６、７、８は、カメラ本体部２の内壁面に板状の電極を張り合わせたもので説明したが、図示を省略するが、カメラ本体部２の外壁面に板状の電極を張り合わせ、この電極を絶縁性のフィルムシートで覆ったものでも良い。
【図面の簡単な説明】
【００３２】
【図１】本発明のカメラを正面から見た斜視図である。
【図２】図１に示すカメラを背面側から見た斜視図である。
【図３】本発明のカメラの第１の操作例を示すブロック図である。
【図４】本発明のカメラの第２の操作例を示すブロック図である。
【図５】本発明のカメラの第３の操作例を示すブロック図である。
【符号の説明】
【００３３】
１  本発明のカメラ
２  カメラ本体部
２ａ  表面側
２ｂ  裏面側
２ｃ  上面側
３  レンズ  
４  露光部
５  ディスプレイ部  
６  第１センサ部
７  第２センサ部
８  第３センサ部
【図１】
2005055723.tif 000003
【図２】
2005055723.tif 000004
【図３】
2005055723.tif 000005
【図４】
2005055723.tif 000006
【図５】
2005055723.tif 000007